(57)【要約】【課題】使い勝手の良好な錠装置の提供を目的とする。【解決手段】ケース１に開設された複数の連結孔２を有し、該連結孔２に挿入された拘束体の被係止部３を連結孔２に進退する係止体４により係止して連結孔２からの抜去を規制する錠装置であって、  施解錠位置間を回転操作可能で、施錠位置において禁止される各係止体４の係止解除位置への移動を解錠位置において許容するシリンダ錠５と、  各係止体４に対応して配置され、対応する係止体４を係止解除位置に移動させる解除操作部６とを有する。【選択図】  図１
2019206864.tif 000002
【特許請求の範囲】
【請求項１】
ケースに開設された複数の連結孔を有し、該連結孔に挿入された拘束体の被係止部を連結孔に進退する係止体により係止して連結孔からの抜去を規制する錠装置であって、
施解錠位置間を回転操作可能で、施錠位置において禁止される各係止体の係止解除位置への移動を解錠位置において許容するシリンダ錠と、
各係止体に対応して配置され、対応する係止体を係止解除位置に移動させる解除操作部と、
を有する錠装置。
【請求項２】
前記連結孔に挿入された被係止部を離脱方向に付勢する被係止部付勢手段を備え、
前記解除操作部への操作により対応する被係止部を連結孔から強制排出する請求項１記載の錠装置。
【請求項３】
前記係止体のすべてを同時に係止解除位置に移動させる全解除操作部を備える請求項１または２記載の錠装置。
【請求項４】
前記係止体は、係止体付勢手段により係止位置側に付勢されるとともに、前記被係止部の連結孔からの抜去操作に伴って係止解除方向の分力が発生する形状に形成され、
前記シリンダ錠が解錠位置にあるときに解除操作部への操作なしに抜去操作が可能な請求項１、２または３記載の錠装置。
【請求項５】
前記連結孔はケースの対向周壁から中心部に向けて一対形成されるとともに、
前記各連結孔に対応する係止体は、各係止体の被係止部に対する係脱方向に揺動自在なロック体に一体に形成される請求項１、２、３または４記載の錠装置。
【発明の詳細な説明】
【技術分野】
【０００１】
本発明は錠装置に関するものである。
【背景技術】
【０００２】
連結孔に施錠対象を拘束するケーブル等の拘束体を連結し、施錠状態において施錠対象の抜去を不能とした錠装置としては、特許文献１の図５に記載のものが知られている。この従来例において、錠装置は収容外筒（ケース）に開設されてケーブル（施錠対象）の固定端子（連結部）を受容する一対の連結孔と、一方の連結孔に対応して配置され、押しボタンにより連結部に対する係止位置から係止解除位置に移動操作可能な端子固定板と、他方の連結孔に対応して係止位置から係止解除位置に移動可能な端子固定球と、プラグに連結されて端子固定板、および端子固定球の移動を規制するカムとを有して構成される。
【０００３】
双方の連結孔に施錠対象の連結部を係止した状態でプラグを所定回転角度回転操作すると、まず、押しボタンが操作可能になり、押しボタンの押下操作により端子固定板により抜去が規制されている連結部の離脱が可能になる。
【０００４】
この後、さらにプラグを回転操作すると、他方の連結孔に挿入された連結部を係止している端子固定球の移動が可能となり、当該連結部を離脱することができる。
【先行技術文献】
【特許文献】
【０００５】
【特許文献１】特開２００６-６３７７６号公報
【発明の概要】
【発明が解決しようとする課題】
【０００６】
しかし、上述した従来例において、押しボタン側の連結部のみを解除する場合には、プラグを解錠ストローク終端の途中位置まで回転させた後、押しボタンを押下する必要があるのに対し、反対側の連結部のみの解除操作は、プラグを解錠ストロークの終端まで回転させることにより行う必要があり、操作方法が全く異なるために、使い勝手が悪いという問題がある。
【０００７】
本発明は、以上の欠点を解消すべくなされたものであって、使い勝手の良好な錠装置の提供を目的とする。
【課題を解決するための手段】
【０００８】
本発明によれば上記目的は、
ケース１に開設された複数の連結孔２を有し、該連結孔２に挿入された拘束体の被係止部３を連結孔２に進退する係止体４により係止して連結孔２からの抜去を規制する錠装置であって、
施解錠位置間を回転操作可能で、施錠位置において禁止される各係止体４の係止解除位置への移動を解錠位置において許容するシリンダ錠５と、
各係止体４に対応して配置され、対応する係止体４を係止解除位置に移動させる解除操作部６と、
を有する錠装置を提供することにより達成される。
【０００９】
錠装置は施錠対象を拘束するためのケーブル等の拘束体に形成された被係止部３の連結状態を維持することにより、施錠対象を拘束するように形成され、ケース１と、ケース１に開設されて上記被係止部３を受容する複数の連結孔２と、連結孔２に挿入された被係止部３に係脱する係止体４とを有し、各係止体４に対応して解除操作部６が配置される。
【００１０】
係止体４は、ケース１内に格納されるシリンダ錠５の解錠状態にあるときにのみ係止位置から係止解除位置に移動することができこの状態で解除操作部６を操作すると、係止体４による被係止部３への係止が解除され、該当する被係止部３を連結孔２から抜去することができる。
【００１１】
したがって本発明において、被係止部３の抜去は、シリンダ錠５を解錠操作した後、抜去対象の連結孔２に対応する解除操作部６を操作するだけで行うことができるために、操作方法の一貫性が保持され、使い勝手が向上する。
【００１２】
連結孔２からの被係止部３の抜去は、解除操作部６を操作した後、引き抜き操作を行うことにより行うことができるが、
前記連結孔２に挿入された被係止部３を離脱方向に付勢する被係止部付勢手段７を備え、
前記解除操作部６への操作により対応する被係止部３を強制排出する錠装置を構成すると、解除操作部６を操作するだけで引き抜き操作を要することなく被係止部３を抜去することができるために、使い勝手が向上する。
【００１３】
解除操作部６は各連結孔２に対応させて配置すれば足りるが、
前記係止体４のすべてを同時に係止解除位置に移動させる全解除操作部８を備えるように構成すると、挿入されたすべての被係止部３を一回の操作で抜去することができるために、使い勝手がより向上する。
【００１４】
係止体４は、係止解除状態においてのみ被係止部３の抜去が可能なように形成することも可能であるが、
前記係止体４は、係止体付勢手段９により係止位置側に付勢されるとともに、前記被係止部３の連結孔２からの抜去操作に伴って係止解除方向の分力が発生する形状に形成され、
前記シリンダ錠５が解錠位置にあるときに解除操作部６への操作なしに抜去操作が可能に構成すると、シリンダ錠５が解錠位置にある状態で被係止部３の連結孔２への連結状態を保持しつつ、必要時には、好みの被係止部３を引っ張るだけで抜去することができるので、使い勝手がさらに向上する。
【００１５】
各係止体４は、対応する各々の連結孔２毎に被係止部３に対する係脱機構を持たせて配置することも可能であるが、
前記連結孔２はケース１の対向周壁から中心部に向けて一対形成されるとともに、
前記各連結孔２に対応する係止体４は、各係止体４の被係止部３に対する係脱方向に揺動自在なロック体１０に一体に形成される錠装置を構成した場合には構造を簡単にすることができる。
【図面の簡単な説明】
【００１６】
【図１】本発明を示す図で、（ａ）は断面図、（ｂ）は正面図である。
【図２】図１の断面図で、（ａ）は施錠状態における図１（ａ）の２Ａ-２Ａ線断面図、（ｂ）は解錠状態における図１（ａ）の２Ａ-２Ａ線断面図である。
【図３】被係止部の挿入状態を示す図で、（ａ）は被係止部の挿入前を示す断面図、（ｂ）は挿入途中を示す断面図である。
【図４】解除操作部を示す図で、（ａ）は図１（ｂ）の４Ａ方向矢視図、（ｂ）は図４（ａ）の４Ｂ方向矢視図である。
【図５】図４（ａ）の５Ａ-５Ａ線断面図である。
【図６】解除操作部の動作を示す図で、（ａ）は一方の解除操作部を操作した状態を示す図、（ｂ）は全解除操作部を操作した状態を示す図である。
【発明を実施するための形態】
【００１７】
図１以下にケーブル、チェーン等の拘束体の両端に形成される被係止部３を連結してループを形成し、該ループにより施錠対象とポール等を繋いで使用するチェーン錠として構成される本発明の実施の形態を示す。
【００１８】
錠装置は、ケース１と、ケース１内に収容されるシリンダ錠５とロック体１０とを有し、シリンダ錠５は、図１に示すように、ケース１の前端にプラグ５ａのキー挿入口５ｂを露出させた状態でケース１内に収容される。
【００１９】
このシリンダ錠５は、図１（ｂ）に示す施錠位置での施錠状態から真正な解錠キー１１をプラグ５ａに挿入し、反時計回りに解錠位置まで所定角度（θ：本例においては９０゜）回転させることにより解錠状態に移行させることができる。
【００２０】
なお、本明細書において、キー挿入口５ｂが配置される側を「前方」、解錠キーを挿入する方向を「後方」、図１（ｂ）において上方を「表面」、下方を「裏面」とする。
【００２１】
上記ケース１の後端部には、対向壁面から中心方向に一対の連結孔２が一直線上に開設される。各連結孔２は、上記プラグ５ａの回転中心線（Ｃ５）に対して直交する方向に穿孔された円形断面形状を有し、最奥部に仕切り壁１ａが設けられる。
【００２２】
また、ケース１には、各連結孔２に対応して押し出し部材１２が配置される。押し出し部材１２は、連結孔２内に進入する押し出し片１２ａを備えており、各押し出し部材１２には、押し出し片１２ａを連結孔２の挿入端側に付勢する被係止部付勢手段７としての圧縮スプリングが設けられる。
【００２３】
図１（ａ）に示すように、連結孔２に被係止部３を挿入した状態で、押し出し部材１２の押し出し片１２ａはケース１の仕切壁１ａに当接することにより被係止部３の挿入深さが規制される。
【００２４】
ロック体１０は、所定厚を有して概ね板状に形成され、シリンダ錠５の後端部と連結孔２との間に配置される。このロック体１０は図２に示すように、ケース１を構成する一対の分割半体１ｂ、１ｃにより挟まれて、連結孔２の長手方向中心線（Ｃ２）と、プラグ５ａの回転中心線とを含む面に沿って前後方向にスライド自在に保持される。
【００２５】
また、ロック体１０はプラグ５ａの回転中心線上に位置する前後方向に長い長孔１０ａにケース１から突出するガイドピン１３を挿通させることによりスライド方向が規制される。長孔１０ａの前端の位置は、後述する係止位置においてガイドピン１３が当接するように決定される。
【００２６】
さらに、上記ロック体１０の後部端面には後方に向けて突出する係止体４が形成される。係止体４の後端は内方に行くに従って漸次前方に移動して低背となる傾斜面４ａにより形成される。
【００２７】
一方、上記被係止部３は截頭円錐体の底面同士を円板部３ａを介して接続した中高形状に形成されており、図１（ａ）に示すように、連結孔２に挿入された状態で基端側の錐面３ｂに上記係止体４の傾斜面４ａが当接する。
【００２８】
さらに、図１、２に示すように、ロック体１０の前部端面にはプラグ５ａの回転中心線（Ｃ５）を中心とするリング状の突条１０ｂにより囲まれたバネ受け部１０ｃが形成されるとともに、上記突条１０ｂの外周壁と前部端面の端縁部に突設される突部１０ｄにより一対のストッパ嵌合溝１０ｅが形成される。
【００２９】
一方、図１、２に示すように、上記シリンダ錠５のプラグ５ａの後端部には、バネ受け突部１４ａとストッパ１４ｂとを備えたストッパピース１４がプラグ５ａの回転に追随して回転可能に連結される。
【００３０】
バネ受け突部１４ａは、ストッパピース１４の後端面から突設され、プラグ５ａの回転中心線（Ｃ５）上に中心が位置する円柱状のボス形状に形成され、後述する係止体付勢手段９としての圧縮スプリングの内径が嵌合可能な外径寸法に形成される。
【００３１】
ストッパ１４ｂは上記ロック体１０のストッパ嵌合溝１０ｅに嵌合可能な円弧状断面を有しており、シリンダ錠５が施錠状態のとき、図１（ａ）、図２（ａ）に示すようにストッパ嵌合溝１０ｅに嵌合し、解錠状態のときには、図２（ｂ）に示すように、ストッパ嵌合溝１０ｅとの嵌合が解除される位置、および弧長を有して形成される。
【００３２】
上記ストッパピース１４とロック体１０との間には圧縮スプリング９が介装され、ロック体１０を図１に示す係止位置方向に付勢する。圧縮スプリング９は、後端部の外周部の移動がロック体１０の突条１０ｂにより、前端の内周部の移動がストッパピース１４のバネ受け突部１４ａにより夫々規制されて位置決めされる。
【００３３】
したがって本例において、図３（ａ）に示すように、シリンダ錠５が解錠状態で、連結孔２に被係止部３が挿入されていないときには、ロック体１０は圧縮スプリング９の付勢力により係止体４が連結孔２内に進入する係止位置に保持される。
【００３４】
この状態から図３（ａ）において矢印ＰＳで示すように、一方の連結孔２に被係止部３を挿入すると、図３（ｂ）に示すように、被係止部３の先端側の錐面３ｃが係止体４の傾斜面４ａの外側終端部に当接する。この後、さらに被係止部３を挿入すると、ロック体１０の係止体４には前方に向かう並進移動力が発生し、ロック体１０は図３（ｂ）に示すように、反時計回りに揺動して被係止部３の通過を許容した後、挿入完了状態で圧縮スプリング９の復元力により原位置に復帰し、図１（ａ）に示すように、被係止部３に弾発的に係止する。
【００３５】
この後、対向する連結孔２に被係止部３を挿入すると、図１（ａ）の状態から、ロック体１０は、左側の被係止部３との係止状態を維持しながら時計回りに回転して対向側の被係止部３に弾発係止することができる。
【００３６】
さらに、双方の連結孔２に被係止部３を同時に挿入した場合であっても、ロック体１０は一旦係止解除位置側に並進移動した後、圧縮スプリングの復元力により原位置に復帰し、各係止体４が被係止部３に弾発係止する。
【００３７】
連結孔２に被係止部３を挿入した状態でシリンダ錠５を施錠状態に移行させると、ストッパピース１４のストッパ１４ｂはロック体１０のストッパ嵌合溝１０ｅに嵌合して、ロック体１０の前方、すなわち各係止体４が連結孔２から退避する係止解除位置への移動が規制されるために、連結孔２に挿入された被係止部３に対するロック体１０の係止体４の係止状態が維持され、被係止部３の離脱が規制される。
【００３８】
図２（ｂ）、図４に示すように、ケース１には解除操作部６と全解除操作部８とが配置される。解除操作部６は各連結孔２に対応して配置され、全解除操作部８は、解除操作部６の中間位置に配置される。
【００３９】
これら解除操作部６と全解除操作部８は、図５に示すように、一端部にボタン状の操作頭部１５を、反対端に楔状作動部１６を備え、操作頭部１５をケース１の表面に突出させた状態で表裏方向に摺動自在に装着される。
【００４０】
楔状作動部１６は、後端面に表面側に行くに従って漸次後方に移動する傾斜面を有しており、解除操作部６の楔状作動部１６は、ロック体１０の係止体４に開設されたアクセス開口４ｂに挿入され、全解除操作部８の楔状作動部１６はロック体１０の後端縁中心部の頂辺１０ｆに配置される（図１（ａ）参照）。
【００４１】
これら解除操作部６と全解除操作部８とは、図５に示すように、ロック体１０の圧縮スプリング９による後方への付勢力によって、楔状作動部１６がアクセス開口４ｂの端縁から後方への付勢力を受けるために、その分力により突出姿勢を保持する。
【００４２】
したがって本例において、シリンダ錠５を図１（ａ）に示す施錠状態から解錠状態に移行させると、図２（ｂ）に示すように、ストッパピース１４のストッパ１４ｂはロック体１０のストッパ嵌合溝１０ｅから離脱してロック体１０は前方への移動、およびガイドピン１３周りの揺動が可能になる。
【００４３】
被係止部付勢手段７による被係止部３の連結孔２からの押し出し力は、ロック体１０に負荷される係止体付勢手段９を介した被係止部３の保持力を下回るように設定されており、連結孔２に挿入された被係止部３は挿入状態が保持される。
【００４４】
この状態で被係止部３に引き抜き方向の力、すなわち、図３（ｂ）において矢印ＰＬ方向の力を与えると、ロック体１０の傾斜面４ａが被係止部３の基端側の錐面３ｂにより受ける抜去方向の力の分力により前方への並進移動力が発生し、ロック体１０は反時計回りに揺動して被係止部３の抜去を許容する。
【００４５】
被係止部３の抜去は、以上のように被係止部３に引き抜き方向の負荷を加える以外に、解除操作部６を操作することにより行うことが可能で、シリンダ錠５を解錠状態にした後、抜去を望む被係止部３に対応する解除操作部６を押下すると、図５において解除操作部６の楔状作動部１６が中心方向（図５における左側）に移動する。
【００４６】
楔状作動部１６の移動によりロック体１０のアクセス開口４ｂの端縁は前方に押し出されることとなり、図６（ａ）に示すように、ロック体１０は揺動して係止体４による被係止部３の係止が解除され、被係止部３は被係止部付勢手段７の付勢力により連結孔２から排出される。図６（ａ）に示すように、一方の係止体４が被係止位置に移動するロック体１０の揺動動作が発生しても、他方の係止体４は係止位置に保持されるために、当該他方の係止体４により係止される被係止部３は連結孔２に保持される。
【００４７】
さらに、解錠状態において全解除操作部８の操作頭部を押し込むと、図６（ｂ）に示すように、楔状作動部１６によりロック体１０の頂辺１０ｆが押し下げられるために、双方の係止体４が同時に係止解除位置に移動し、双方の連結孔２に保持されていた被係止部３は被係止部付勢手段７により同時に排出される。
【００４８】
なお、以上においては、被係止部３に抜去方向の操作力を加えることにより、ロック体１０に前方への移動を伴う揺動動作を発生させるように形成する場合を示したが、例えば、ロック体１０の傾斜面４ａを廃止して水平面とするとともに、被係止部３の基端側の基端側の錐面を廃止することによって係止体４が被係止部３の円板部３ａの端面に当接させることも可能である。
【００４９】
この場合、被係止部３に抜去方向の操作力を与えても、係止体４の係止離脱方向への分力が小さくなるために、抜去操作が困難となり、実質、解除操作部６、あるいは全解除操作部８への操作によってのみ被係止部３の抜去が可能になる。
【符号の説明】
【００５０】
１        ケース
２        連結孔
３        被係止部
４        係止体
５        シリンダ錠
６        解除操作部
７        被係止部付勢手段
８        全解除操作部
９        係止体付勢手段
１０      ロック体
【図１】
2019206864.tif 000003
【図２】
2019206864.tif 000004
【図３】
2019206864.tif 000005
【図４】
2019206864.tif 000006
【図５】
2019206864.tif 000007
【図６】
2019206864.tif 000008